【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
複数の撮像装置によりそれぞれ異なる方向から対象領域を撮像することで得られる複数の画像に基づいて生成された仮想視点画像を画面に表示させる表示制御装置であって、
観覧者に公開される第１仮想視点画像に対応する仮想視点を変更するための操作者による操作に応じた入力を受け付ける受付手段と、
前記受付手段により受け付けられた入力に応じた仮想視点から見える前記対象領域内の第１範囲であって前記第１仮想視点画像に対応する第１範囲と、前記第１範囲の周囲領域と、を含む第２範囲に対応する第２仮想視点画像を、前記操作のための画面に表示させる表示制御手段と、を有することを特徴とする表示制御装置。
【請求項２】
前記表示制御手段により前記画面に表示される前記第２仮想視点画像において、前記第１範囲と前記第２範囲との位置関係が識別可能に表示されることを特徴とする請求項１に記載の表示制御装置。
【請求項３】
前記受付手段により受け付けられた入力に基づいて、前記第１範囲と前記第２範囲が連動して変化することを特徴とする請求項１又は２に記載の表示制御装置。
【請求項４】
前記第１範囲に対応する仮想視点と前記第２範囲に対応する仮想視点は、位置及び向きが同一で、かつ視野の広さが異なることを特徴とする請求項１乃至３の何れか１項に記載の表示制御装置。
【請求項５】
前記第１範囲に対応する仮想視点と前記第２範囲に対応する仮想視点は、向き及び視野の広さが同一で、かつ位置が異なることを特徴とする請求項１乃至３の何れか１項に記載の表示制御装置。
【請求項６】
前記第１仮想視点画像の中心に映る前記対象領域内の位置と前記第２仮想視点画像の中心に映る前記対象領域内の位置は一致することを特徴とする請求項１乃至５の何れか１項に記載の表示制御装置。
【請求項７】
前記表示制御手段は、前記第２仮想視点画像の第１部分と第２部分であって、前記第１範囲に対応する第１部分と前記周囲領域に対応する第２部分とを、識別可能に表示させることを特徴とする請求項１乃至６の何れか１項に記載の表示制御装置。
【請求項８】
前記表示制御手段は、前記画面において前記第２仮想視点画像の前記第１部分の周囲に前記第２部分を表示させることを特徴とする請求項７に記載の表示制御装置。
【請求項９】
前記第２仮想視点画像の前記第１部分は、第１のタイミングにおいて前記複数の撮像装置により撮像することで得られる複数の画像に基づいて生成され、
前記第２仮想視点画像の前記第２部分は、前記第１のタイミングとは異なる第２のタイミングにおいて前記複数の撮像装置により撮像することで得られる複数の画像に基づいて生成されることを特徴とする請求項７又は８に記載の表示制御装置。
【請求項１０】
前記第２仮想視点画像の前記第１部分は、第１のタイミングにおいて前記複数の撮像装置により撮像することで得られる複数の画像に基づいて生成され、
前記第２仮想視点画像の前記第２部分は、前記第１のタイミングより後の第２のタイミングにおいて前記複数の撮像装置により撮像することで得られる複数の画像に基づいて生成されることを特徴とする請求項７又は８に記載の表示制御装置。
【請求項１１】
前記第２のタイミングにおいて撮像することで得られた画像に基づいて生成された複数の候補画像から被写体を検出する検出手段と、
前記複数の候補画像のうち、前記第２仮想視点画像の前記第２部分として表示されるべき画像を、前記検出手段による検出結果に基づいて決定する画像決定手段とをさらに有することを特徴とする請求項９又は１０に記載の表示制御装置。
【請求項１２】
前記第２仮想視点画像の前記第１部分は、第１のタイミングにおいて前記複数の撮像装置により撮像することで得られる複数の画像に基づいて生成され、
前記第２仮想視点画像の前記第２部分は、前記第１のタイミングとは異なる複数のタイミングにおいて前記複数の撮像装置により撮像することで得られる複数の画像に基づいて生成された複数の仮想視点画像を重畳した画像であることを特徴とする請求項７又は８に記載の表示制御装置。
【請求項１３】
前記第１仮想視点画像に対応する仮想視点の視野の広さに基づいて、前記第２仮想視点画像に対応する仮想視点の視野の広さを決定する視野サイズ決定手段をさらに有することを特徴とする請求項１乃至１２の何れか１項に記載の表示制御装置。
【請求項１４】
前記視野サイズ決定手段は、前記画面における前記第２仮想視点画像の表示サイズに基づいて、前記第２仮想視点画像に対応する仮想視点の視野の広さを決定することを特徴とする請求項１３に記載の表示制御装置。
【請求項１５】
前記第１仮想視点画像における被写体の占有率と、仮想視点の位置と前記第１仮想視点画像に含まれる被写体の位置との間の距離と、前記第１仮想視点画像に含まれる被写体の移動速度と、の少なくとも何れかに基づいて、前記画面における前記第２仮想視点画像の表示サイズを決定するサイズ決定手段をさらに有することを特徴とする請求項１乃至１４の何れか１項に記載の表示制御装置。
【請求項１６】
前記サイズ決定手段は、さらに前記複数の画像の種別に基づいて、前記第２仮想視点画像のサイズを決定することを特徴とする請求項１５に記載の表示制御装置。
【請求項１７】
複数の撮像装置によりそれぞれ異なる方向から対象領域を撮像することで得られる複数の画像に基づいて生成された仮想視点画像を画面に表示させる表示制御装置であって、
放送される第１仮想視点画像に対応する仮想視点を変更するための操作に応じた入力を受け付ける受付手段と、
前記受付手段により受け付けられた入力に応じた仮想視点から見える前記対象領域内の第１範囲であって前記第１仮想視点画像に対応する第１範囲と、前記第１範囲の周囲領域と、を含む第２範囲に対応する第２仮想視点画像を、前記操作のための画面に表示させる表示制御手段と、を有することを特徴とする表示制御装置。
【請求項１８】
複数の撮像装置によりそれぞれ異なる方向から対象領域を撮像することで得られる複数の画像に基づいて生成された仮想視点画像を画面に表示させる表示制御方法であって、
観覧者に公開される第１仮想視点画像に対応する仮想視点を変更するための操作者による操作に応じた入力を受け付ける受付工程と、
前記受付工程において受け付けられた入力に応じた仮想視点から見える前記対象領域内の第１範囲であって前記第１仮想視点画像に対応する第１範囲と、前記第１範囲の周囲領域と、を含む第２範囲に対応する第２仮想視点画像を、前記操作のための画面に表示させる表示制御工程と、を有することを特徴とする表示制御方法。
【請求項１９】
前記第１範囲に対応する仮想視点と前記第２範囲に対応する仮想視点は、位置及び向きが同一で、かつ視野の広さが異なることを特徴とする請求項１８に記載の表示制御方法。
【請求項２０】
前記第２仮想視点画像の前記第１範囲に対応する第１部分は、第１のタイミングにおいて前記複数の撮像装置により撮像することで得られる複数の画像に基づいて生成され、
前記第２仮想視点画像の前記周囲領域に対応する第２部分は、前記第１のタイミングとは異なる第２のタイミングにおいて前記複数の撮像装置により撮像することで得られる複数の画像に基づいて生成されることを特徴とする請求項１８又は１９に記載の表示制御方法。
【請求項２１】
コンピュータを、請求項１乃至１７の何れか１項に記載の表示制御装置の各手段として機能させるためのプログラム。
【手続補正２】
【補正対象書類名】明細書
【補正対象項目名】０００７
【補正方法】変更
【補正の内容】
【０００７】
そこで、本発明は、複数の撮像装置によりそれぞれ異なる方向から対象領域を撮像することで得られる複数の画像に基づいて生成された仮想視点画像を画面に表示させる表示制御装置であって、観覧者に公開される第１仮想視点画像に対応する仮想視点を変更するための操作者による操作に応じた入力を受け付ける受付手段と、前記受付手段により受け付けられた入力に応じた仮想視点から見える前記対象領域内の第１範囲であって前記第１仮想視点画像に対応する第１範囲と、前記第１範囲の周囲領域と、を含む第２範囲に対応する第２仮想視点画像を、前記操作のための画面に表示させる表示制御手段と、を有することを特徴とする。